(57)【要約】【課題】衣類データを登録する際の、衣類データの分類および登録の際にかかる手間を軽減する。【解決手段】ＮＦＣタグ等の近距離無線通信タグ３に事前に登録したい衣類に対応する分類情報を書き込んでおくことによって、携帯通信端末１において動作する衣類画像管理アプリケーションソフトウェアに衣類画像データを登録する際に、携帯通信端末１を近距離無線通信タグ３にかざすという簡単な動作のみで衣類画像データに対応する分類情報を登録することができる。また、衣類を着用するのに相応しい月や季節の情報をＱＲコード等の識別子４としておくことによって、携帯通信端末１にて識別子４を読み取るだけで衣類画像データに対応する分類情報を登録することができる。【選択図】図８
2014185411.tif 000002
【特許請求の範囲】
【請求項１】
衣類に関する衣類データを登録して管理する衣類管理アプリケーションソフトウェアを動作させる携帯通信端末と、
登録する衣類データを分類するための分類情報を記憶した近距離無線通信記憶媒体と、
を有し、
前記携帯通信端末は、
制御部と、
前記近距離無線通信記憶媒体と情報の無線通信を行う近距離無線通信部と、
操作部と、
記録部と、
を有し、
前記制御部は、前記操作部を介して前記衣類管理アプリケーションソフトウェアに衣類データを登録する操作が行われたとき、前記近距離無線通信部を介して前記近距離無線通信記憶媒体に記憶された前記分類情報を読み取り、当該分類情報に基づいて前記衣類データを分類し、当該衣類データを当該分類情報に対応づけて前記記録部に登録する
衣類登録システム。
【請求項２】
前記携帯通信端末は、表示部をさらに有し、
前記制御部は、前記操作部を介して前記衣類管理アプリケーションソフトウェアに衣類データの閲覧を行う操作が行われたとき、閲覧する衣類データに対応する分類情報を選択させる選択画面を前記表示部に表示させ、当該選択画面において選択された分類情報に対応づけられた衣類データを前記表示部に一覧表示する
請求項１に記載の衣類登録システム。
【請求項３】
前記携帯通信端末は、撮像部をさらに有し、
前記制御部は、前記近距離無線通信部による前記分類情報の読み取りの後あるいは前に、前記撮像部を起動させて、一年の内いずれかの月または季節に対応する識別子を読み取り、当該読み取った月または季節を、前記衣類を着用するのに相応しい月または季節を示す分類情報として当該衣類の衣類データに対応づけて前記記録部に登録する
請求項２に記載の衣類登録システム。
【請求項４】
前記携帯通信端末は、前記選択画面において、前記衣類を着用するのに相応しい月を示す分類情報が選択されたとき、当該選択された月の前後の月も着用月として対応づけられた衣類データを前記表示部に一覧表示する
請求項３に記載の衣類登録システム。
【請求項５】
前記制御部は、前記操作部を介して前記衣類管理アプリケーションソフトウェアに衣類を登録する操作が行われたとき、前記撮像部を起動させて衣類の画像データである衣類画像データを生成させ、当該衣類画像データを前記衣類データとして扱い、前記撮像部による画像の撮影が終了した後、前記近距離無線通信部による前記分類情報の読み取りを行わせる
請求項３または４に記載の衣類登録システム。
【請求項６】
前記制御部は、前記操作部を介した操作に応じて、前記近距離無線通信記憶媒体に前記操作に応じた分類情報を書き込む書込アプリケーションソフトウェアを動作させる
請求項１から５のいずれか一項に記載の衣類登録システム。
【請求項７】
請求項１から６のいずれか一項に記載の衣類登録システムにおいて使用される近距離無線通信記憶媒体であって、
アンテナと、
登録する衣類データを分類するための分類情報を記憶する記憶部と、
前記携帯通信端末からの要求に応じて当該分類情報を前記アンテナを介して無線送信する無線通信部と、
を有する
近距離無線通信記憶媒体。
【請求項８】
前記分類情報は、前記携帯通信端末上で動作する書込アプリケーションソフトウェアにより、前記携帯通信端末に対する所定の操作に応じて前記衣類データの登録より前に書き込まれる
請求項７に記載の近距離無線通信記憶媒体。
【請求項９】
近距離無線通信記憶媒体との無線通信が可能な携帯通信端末であって、
アンテナと、
制御部と、
前記アンテナを介して、前記近距離無線通信記憶媒体と情報の無線通信を行う近距離無線通信部と、
操作部と、
記録部と、
を有し、
前記制御部は、前記操作部を介して衣類に関する衣類データを登録して管理する衣類管理アプリケーションソフトウェアにおいて衣類データを登録する操作が行われたとき、前記近距離無線通信記憶媒体に記憶された、登録する衣類データを分類するための分類情報を前記近距離無線通信部を介して読み取り、当該衣類データを当該分類情報に対応づけて前記記録部に登録する
携帯通信端末。
【請求項１０】
衣類に関する衣類データを登録して管理する衣類管理アプリケーションソフトウェアを動作させる携帯通信端末と、登録する衣類データを分類するための分類情報を記憶した近距離無線通信記憶媒体と、を有する衣類登録システムにおける衣類登録方法であって、
前記携帯通信端末が、前記衣類管理アプリケーションソフトウェアにおいて衣類データを登録するとき、前記近距離無線通信記憶媒体に記憶された前記分類情報を読み取り、当該分類情報に基づいて前記衣類データを分類し登録する
衣類登録方法。
【請求項１１】
前記携帯通信端末が、前記近距離無線通信部による前記分類情報の読み取りの後あるいは前に、一年の内いずれかの月または季節に対応する識別子を前記携帯通信端末の有する撮像部にて読み取り、当該読み取った月または季節を前記衣類を着用するのに相応しい月または季節を示す分類情報として当該衣類の衣類データに対応づけて登録する
請求項１０に記載の衣類登録方法。
【請求項１２】
衣類に関する衣類データを登録して管理する衣類管理アプリケーションソフトウェアを動作させるコンピュータを有する携帯通信端末と、登録する衣類データを分類するための分類情報を記憶した近距離無線通信記憶媒体と、を有する衣類登録システムにおいて、前記携帯通信端末が有するコンピュータにおいて動作するプログラムであって、
前記携帯通信端末に対して、前記衣類管理アプリケーションソフトウェアに衣類データを登録する操作が行われたとき、前記近距離無線通信記憶媒体に記憶された前記分類情報を読み取り、当該分類情報に基づいて前記衣類データを分類し登録する
プログラム。
【発明の詳細な説明】
【技術分野】
【０００１】
本発明は、衣類を分類して登録する衣類登録システム、それに用いる近距離無線通信媒体、携帯通信端末、衣類登録方法およびプログラムに関する。
【背景技術】
【０００２】
通常、複数の衣類、靴、鞄、小物類の中から季節、天候、行く先、目的、ＴＰＯ等に応じて組み合わせを選択する場合には、実際に衣類、靴、鞄、小物類を着用してみたり、床やテーブル上に並べてみたり、ハンガーにかけてみたりすることによって、その組み合わせの良し悪しを判断して選択する。
しかし、衣類、靴、鞄、小物類を実際に着用したり、並べたりするためには、多くの手間や時間、スペースが必要となり、効率的ではない。特に、多くの衣類、靴、鞄、小物類の中から組み合わせを考える場合には、その組み合わせの総数が膨大なものとなるため、全ての組み合わせを逐一試してみるためには多くの時間が必要である。また、組み合わせを決定した後に、着用したり並べたりした衣類、靴、鞄、小物類を整理して片付けるのも大変である。
【０００３】
このため、衣類、靴、鞄、小物類を実際に着用したり、並べてみたりするのではなく、衣類、靴、鞄、小物類の画像データを使用して、コンピュータを使用し、衣類、靴、鞄、小物類の画像データを組み合わせた画像データを作成して表示することで、組み合わせの良し悪しを判断する技術が提案されている。
例えば、特許文献１には、入力された洋服などのアイテムの画像データと属性データをデータベースに登録して管理すると共に、選択されたアイテムの画像データを組み合わせて表示する技術が開示されている。
また、最近では、据え置き型コンピュータではなく、いわゆるスマートフォンやタブレット端末等と呼称されている、電話、メールの他に様々な機能を有する多機能携帯通信端末において、衣類等の画像データを登録して組み合わせを表示するアプリケーションソフトウェアが知られている。
【先行技術文献】
【特許文献】
【０００４】
【特許文献１】特開平７−２４３１１２号公報
【発明の概要】
【発明が解決しようとする課題】
【０００５】
しかし、特許文献１に開示された服飾データ管理方法や、携帯通信端末で動作し、衣類、靴、鞄、小物類の画像データを組み合わせて表示するアプリケーションソフトウェアを用いる場合、その機能を使用する前に衣類の画像データの撮影・作成や、作成した画像データの登録等を手動で行う必要があり、非常に手間と時間がかかるため、その改善が望まれている。
特に、多数の衣類画像データを登録し、効率よく組み合わせを作成するためには、まずこれらを分類する必要があるが、特許文献１に開示された服飾データ管理方法や、上述したアプリケーションソフトウェアでは、衣類の画像データの分類を手動で行う必要があるため、ユーザは登録や分類に多大な手間と時間を費やさなければならない。
【０００６】
本発明は、衣類に関する衣類データを登録し管理するときに、衣類データの分類および登録を効率的に行うことを目的とする。また、本発明は、登録した衣類データの利用を効果的に行うことを目的とする。
【課題を解決するための手段】
【０００７】
本発明の衣類登録システムは、衣類に関する衣類データを登録して管理する衣類管理アプリケーションソフトウェアを動作させる携帯通信端末と、登録する衣類データを分類するための分類情報を記憶した近距離無線通信記憶媒体と、を有し、前記携帯通信端末は、制御部と、前記近距離無線通信記憶媒体と情報の無線通信を行う近距離無線通信部と、操作部と、記録部と、を有し、前記制御部は、前記操作部を介して前記衣類管理アプリケーションソフトウェアに衣類データを登録する操作が行われたとき、前記近距離無線通信部を介して前記近距離無線通信記憶媒体に記憶された前記分類情報を読み取り、当該分類情報に基づいて前記衣類データを分類し、当該衣類データを当該分類情報に対応づけて前記記録部に登録する。
【０００８】
本発明の近距離無線通信記憶媒体は、上述した衣類登録システムにおいて使用される近距離無線通信記憶媒体であって、登録する衣類データを分類するための分類情報を記憶する記憶部と、前記携帯通信端末からの要求に応じて当該分類情報を無線送信する無線通信部と、を有する。
【０００９】
本発明の携帯通信端末は、近距離無線通信記憶媒体との無線通信が可能な携帯通信端末であって、アンテナと、制御部と、前記アンテナを介して、前記近距離無線通信記憶媒体と情報の無線通信を行う近距離無線通信部と、操作部と、記録部と、を有し、前記制御部は、前記操作部を介して衣類に関する衣類データを登録して管理する衣類管理アプリケーションソフトウェアにおいて衣類データを登録する操作が行われたとき、前記近距離無線通信記憶媒体に記憶された、登録する衣類データを分類するための分類情報を前記近距離無線通信部を介して読み取り、当該衣類データを当該分類情報に対応づけて前記記録部に登録する。
【００１０】
本発明の衣類登録方法は、衣類に関する衣類データを登録して管理する衣類管理アプリケーションソフトウェアを動作させる携帯通信端末と、登録する衣類データを分類するための分類情報を記憶した近距離無線通信記憶媒体と、を有する衣類登録システムにおける衣類登録方法であって、前記携帯通信端末が、前記衣類管理アプリケーションソフトウェアにおいて衣類データを登録するとき、前記近距離無線通信記憶媒体に記憶された前記分類情報を読み取り、当該分類情報に基づいて前記衣類データを分類し登録する。
【００１１】
本発明のプログラムは、衣類に関する衣類データを登録して管理する衣類管理アプリケーションソフトウェアを動作させるコンピュータを有する携帯通信端末と、登録する衣類データを分類するための分類情報を記憶した近距離無線通信記憶媒体と、を有する衣類登録システムにおいて、前記携帯通信端末が有するコンピュータにおいて動作するプログラムであって、前記携帯通信端末に対して、前記衣類管理アプリケーションソフトウェアに衣類データを登録する操作が行われたとき、前記近距離無線通信記憶媒体に記憶された前記分類情報を読み取り、当該分類情報に基づいて前記衣類データを分類し登録する。
【発明の効果】
【００１２】
本発明によれば、衣類に関する衣類データの分類および登録を効率的に行うことができる。
【図面の簡単な説明】
【００１３】
【図１】図１は、衣類登録システムの構成の一例を示す図である。
【図２】図２は、携帯通信端末の構成の一例を示す図である。
【図３】図３は、近距離無線通信タグの構成の一例を示す図である。
【図４】図４は、登録する衣類画像データの色を記憶する近距離無線通信タグを複数枚貼り付けた色ボードの一例を示す図である。
【図５】図５は、登録する衣類画像データの柄を記憶する近距離無線通信タグを複数枚貼り付けた柄ボードの一例を示す図である。
【図６】図６は、登録する衣類画像データのカテゴリを記憶する近距離無線通信タグを複数枚貼り付けたカテゴリボードの一例を示す図である。
【図７】図７は、衣類がどの月に着用するのが相応しいかを示す分類情報である「着用月」を登録するための着用月ボードの一例を示す図である
【図８】図８は、衣類登録システムにおいて、新たに衣類の画像データを登録する際の動作例を示すフローチャートである。
【図９】図９は、衣類登録システムにおいて、登録した衣類画像データのいずれかを検索し閲覧する際の動作例を示すフローチャートである。
【図１０】図１０には、本発明の実施形態に係る衣類登録システムにおいて、登録した衣類画像データの閲覧を行うために衣類画像データを検索する場合に表示される分類要素の選択画面の一例を示す図である。
【図１１】図１１は、色の分類情報の選択画面の一例を示す図である。
【図１２】図１２は、柄の分類情報の選択画面の一例を示す図である。
【図１３】図１３は、カテゴリの分類情報の選択画面の一例を示す図である。
【図１４】図１４は、衣類を着用するのに相応しい月の分類情報の選択画面の一例を示す図である。
【図１５】図１５は、衣類登録システムにおいて、書込アプリケーションソフトウェアにより近距離無線通信タグに分類情報を書き込む場合の動作例を示すフローチャートである。
【発明を実施するための形態】
【００１４】
以下、本発明の実施形態について説明する。
図１は、本発明の実施形態に係る衣類登録システム１００の構成の一例を示す図である。
本発明の実施形態に係る衣類登録システム１００は、携帯通信端末１、近距離無線通信タグ３（本発明の近距離無線通信記憶媒体に対応）、識別子４を有する。携帯通信端末１は、ネットワーク５に接続される。
【００１５】
携帯通信端末１は、例えば、いわゆるスマートフォンやタブレット端末等、電話、メールの他に様々な機能を有する多機能携帯通信端末である。
近距離無線通信タグ３は、例えばＮＦＣ（Near Field Communication）タグ等、アンテナと、書き換え可能な記録部と、アンテナを介して数センチメートル〜十数センチメートル程度の比較的近距離で無線給電を受けて無線通信を行うＩＣチップとで構成されている。
【００１６】
識別子４は、１次元バーコードや、ＱＲコード（株式会社デンソーウェーブの登録商標）等の２次元コード等の識別子である。
ネットワーク５は、例えばインターネット等、携帯電話回線や無線ＬＡＮ等を介して携帯通信端末１等の通信機能を用いて接続可能な公衆ネットワークである。
【００１７】
ここで、本発明の実施形態に係る衣類登録システム１００では、携帯通信端末１に情報を提供するために、近距離無線通信タグ３と識別子４の両方が併用される。具体的には、識別子４よりも高額な近距離無線通信タグ３には、情報量が多い、衣類に関する情報を記憶させ、識別子４には情報量が少ない、近距離無線通信タグ３に記憶された情報以外の情報を記憶させる。これにより、コストパフォーマンスを満足させた機能分散（機能分担）を図り、携帯通信端末１が必要な情報を近距離無線通信タグ３と識別子４の何れかから読み取るように構成されている。
【００１８】
なお、情報量が多い情報を近距離無線通信タグ３に記憶させるのは、例えば下記の理由からである。
まず、給電する携帯通信端末１に大きな電力負担をかけずに、近距離無線通信タグ３が携帯通信端末１から給電を受けるためには、比較的低周波でよい近距離の通信を用いることが望ましいからである。
また、携帯通信端末１は後述するように複数の近距離無線通信タグ３の何れかから情報を読み出す場合があるが、近距離無線通信の最大通信距離である、例えば数センチメートルから十数センチメートル以上離して複数の近距離無線通信タグ３を配置することにより、他のタグとの混信を避ける事ができる。すなわち、互いの距離を数センチメートルから十数センチメートル程度空ければよいので、複数の近距離無線通信タグ３を配置することができ、多様な情報を提供できる。
なお、近距離無線通信タグ３に記憶されている情報、および識別子４に記憶されている情報については後に詳述する。
【００１９】
図２は、携帯通信端末１の構成の一例を示す図である。
図２に示すように、携帯通信端末１は、撮像部１１、表示部１２、操作部１３、近距離無線通信部１４、ネットワーク通信部１５、近距離無線通信アンテナ１６、ネットワークアンテナ１７、ＲＯＭ１８、メモリ１９、ＣＰＵ２０、バッテリ２１を有する。
撮像部１１は、レンズや撮像素子等を有し、撮像素子から出力された撮像信号をデジタル変換するデジタルカメラモジュールである。変換結果はＣＰＵ２０によりメモリ１９に記憶される。
【００２０】
表示部１２は、液晶ディスプレイ、有機ＥＬ（Electro Luminescence）ディスプレイ等、撮像部１１の撮像結果やＣＰＵ２０により実行される種々のアプリケーションソフトウェアの実行結果を表示する表示デバイスである。
操作部１３は、例えばタッチパネル等の操作デバイスであり、ユーザの操作を受け付ける。
【００２１】
近距離無線通信部１４は、上述した近距離無線通信タグ３との近距離無線通信が可能な通信デバイスである。
ネットワーク通信部１５は、携帯電話回線等を用いてネットワーク５との無線通信を行う通信デバイスである。
【００２２】
近距離無線通信アンテナ１６は、近距離無線通信部１４による、ＮＦＣ等の近距離無線通信方式を用いた、近距離無線通信タグ３との無線通信に使用される内蔵アンテナであり、例えば１３．５６ＭＨｚ等、ＭＨｚ周波数帯の電波を用いた送受信を行う。また、近距離無線通信アンテナ１６は、近距離無線通信タグ３に対して無線での給電を行う。
ネットワークアンテナ１７は、ネットワーク通信部１５による、携帯電話回線等を用いたネットワーク５との無線通信に使用される内蔵アンテナであり、近距離無線通信部１４と近距離無線通信アンテナ１６との通信に使用される周波数帯より高い周波数帯である、例えば８００ＭＨｚ〜２ＧＨｚ帯の電波を用いた送受信を行う。
【００２３】
このように、本発明の実施形態に係る携帯通信端末１は、２つの通信部（近距離無線通信部１４およびネットワーク通信部１５）および２つのアンテナ（近距離無線通信アンテナ１６およびネットワークアンテナ１７）を有するが、使用する周波数帯域が大幅に異なるので混信が生じない。
【００２４】
ＲＯＭ（Read Only Memory）１８は、ＣＰＵ２０により実行されるプログラム等が記憶された記憶媒体である。
メモリ１９は、フラッシュメモリ等、複数回の書き込みが可能な記憶媒体であり、ＣＰＵ２０が行う処理に使用される各種データ（各種アプリケーションソフトウェアや、画像データ等）を記憶する記憶媒体である。
メモリ１９は、本発明の記録部に対応している。
【００２５】
ＣＰＵ（Central Processing Unit）２０は、携帯通信端末１において実行される各種処理の制御を行う。すなわち、ＣＰＵ２０は、例えば、各種アプリケーションソフトウェアの実行、上記携帯通信端末１の各種構成の制御、などを行う。ＣＰＵ２０が実行するアプリケーションソフトウェアとしては、例えば、後述する衣類管理アプリケーションソフトウェアや、近距離無線通信アンテナ１６を介して近距離無線通信タグ３に対して情報を書き込む書込アプリケーションソフトウェア等がある。
ＣＰＵ２０は、本発明の制御部に対応している。
【００２６】
なお、衣類管理アプリケーションソフトウェアや、書込アプリケーションソフトウェアを含む、種々のアプリケーションソフトウェアは、例えば携帯通信端末１の工場出荷時にプリインストールされていてもよいし、後述するネットワーク通信部１５により、インターネット等を介して所定のサーバからダウンロードされインストールされてもよい。
【００２７】
バッテリ２１は、携帯通信端末１の各構成部に電力を供給する。
ＣＰＵ２０は、近距離無線通信タグ３と通信を行うときに、近距離無線通信タグ３に非接触電力伝送を行うことにより、バッテリ２１から供給される電力を近距離無線通信タグ３に給電する。近距離無線通信タグ３に対する給電は小電力であるため、近距離無線通信タグ３との通信時にバッテリ２１から供給される電力は少ない。
【００２８】
図３は、近距離無線通信タグ３の構成の一例を示す図である。
ＩＣ（Integrated Circuit）チップ２１は、アンテナ３２を介して携帯通信端末１からの給電を受け、データの送受信を行うとともに、携帯通信端末１から受信したデータを記憶部に記憶し、また記憶部に記憶した情報を携帯通信端末１に対して送信する。
ＩＣチップ３１は、本発明の記憶部および無線通信部に対応している。
【００２９】
次に、携帯通信端末１において動作する衣類管理アプリケーションソフトウェアについて説明する。
衣類管理アプリケーションソフトウェアは、各種衣類に関するデータを収集し、分類して管理し、ユーザの要望に応じてその組み合わせを表示する機能を有するアプリケーションソフトウェアである。
本実施形態では、衣類に関するデータの一例として、特に、衣類の画像データである衣類画像データを用いる場合について説明する。
【００３０】
具体的には、衣類管理アプリケーションソフトウェアは、衣類画像データを、ユーザが所望のアイテムを検索しやすいように分類して表示し、ユーザの選択に応じて、それぞれの画像データを実際に着用した際の様子がわかるように並べたり一部分を重ねたりして表示する機能を有する。これにより、ユーザは衣類の組み合わせを確認し、組み合わせの良し悪しの判断を行うことができる。なお、本発明において、「衣類」とは、シャツやパンツ、ジャケット等の衣服の他、靴、鞄、アクセサリ、その他小物類を含むものとする。
このような衣類管理アプリケーションソフトウェアを用いて衣類画像データの検索や組み合わせを行うためには、その前段階として、衣類画像データを分類し、登録する作業が必要である。
【００３１】
本発明の実施形態に係る衣類登録システム１００では、予め近距離無線通信タグ３に衣類を分類するための情報を記憶しておき、携帯通信端末１にてそれらの機能を読み取ることにより、容易に衣類画像データの登録を可能とする。
ここで、本明細書において、衣類画像データを分類するための情報を、分類情報と称する。
分類情報は、衣類を分類可能な要素である分類要素のうち、いずれであるかを示す情報である。
【００３２】
具体的には、分類要素は、例えば、白、黒、赤等の衣類の「色」、無地、ストライプ、チェック等の「柄」、ジャケット、パンツ、スカート等の「カテゴリ（衣類の種類）」、コットン、ウール、ナイロン等の「素材」、等、どのように衣類を分類するか、を示す要素である。
分類情報は、分類要素のうち、実際にどれかを示す情報である。例えば、分類要素が衣類の色である場合には、実際にどの色であるかを示す情報（「白」等）であり、分類要素が衣類の柄である場合には、実際にどの柄であるかを示す情報（「無地」等）であり、分類要素が衣類のカテゴリである場合には、実際にどのカテゴリであるかを示す情報（「ジャケット」等）、分類要素が衣類の素材である場合には、実際にどの素材であるかを示す情報（「コットン」等）である。
以上説明したような分類情報を衣類画像データに対応付けることにより、衣類画像データが分類して登録され、衣類画像データの管理や検索が可能となる。
【００３３】
新たに衣類画像データを登録する際には、登録する衣類に対応する分類情報を記憶した近距離無線通信タグ３をユーザが選択して、分類情報を当該選択した近距離無線通信タグ３から携帯通信端末１にて読み取ることで、当該分類情報に基づいて新たな衣類画像データが分類され登録される。
１つの近距離無線通信タグ３には、１種類の分類情報が記憶される。
【００３４】
これらの近距離無線通信タグ３は、衣類画像データの登録する際にユーザにわかりやすいように、どの近距離無線通信タグ３がどの分類情報を記憶しているかを近距離無線通信タグ３のパッケージ部分に明示したり、同一の分類要素の分類情報を記憶する近距離無線通信タグ３をまとめて１枚の紙や板等に貼り付けておいたり、等することが望ましい。
このように近距離無線通信タグ３の記憶内容をそのパッケージに明記して板状の物体に貼り付けた例を図４から図６に示す。
【００３５】
図４は、新たに登録する衣類画像データの色を記憶する近距離無線通信タグ３を複数枚貼り付けた色ボード２００の一例を示す図である。
図５は、新たに登録する衣類画像データの柄を記憶する近距離無線通信タグ３を複数枚貼り付けた柄ボード３００の一例を示す図である。
図６は、新たに登録する衣類画像データのカテゴリを記憶する近距離無線通信タグ３を複数枚貼り付けたカテゴリボード４００の一例を示す図である。
【００３６】
図４から図６に示すように、本実施形態では、板状の物体（例えば、コルク板や紙等）に、記憶した分類情報を明記した近距離無線通信タグ３を貼り付けたものを「〜ボード」と称する（〜には「色」、「柄」、「カテゴリ」等、貼り付けた近距離無線通信タグ３が記憶する分類情報に対応する分類要素名が入る）。ここで、各ボードに貼り付ける近距離無線通信タグ３同士は、携帯通信端末１との通信時に他の近距離無線通信タグ３との混信を防ぐために、近距離無線通信タグ３の最大通信可能距離である、例えば数センチメートルから十数センチメートル程度以上離しておくことが望ましい。
【００３７】
図４に示す色ボード２００には、例えば、
（ａ）衣類の色が白であるという分類情報を記憶した「白」タグ２０１
（ｂ）衣類の色が黒であるという分類情報を記憶した「黒」タグ２０２
（ｃ）衣類の色がグレーであるという分類情報を記憶した「グレー」タグ２０３
（ｄ）衣類の色が赤であるという分類情報を記憶した「赤」タグ２０４
（ｅ）衣類の色が青であるという分類情報を記憶した「青」タグ２０５
（ｆ）衣類の色が黄色であるという分類情報を記憶した「黄」タグ２０６
（ｇ）衣類の色が緑であるという分類情報を記憶した「緑」タグ２０７
（ｈ）衣類の色が紫であるという分類情報を記憶した「紫」タグ２０８
等が貼り付けられている。
それぞれのタグには、記憶されている分類情報を文字で記載してもよいし、あるいは各タグを記憶されている色に着色してもよい。また、色ボード２００には上記した以外の色（例えば茶、ピンク、紺、等）に対応する近距離無線通信タグ３をさらに貼り付けてもよい。
【００３８】
また、図５に示す柄ボード３００には、例えば、
（ａ）衣類の柄が無地であるという分類情報を記憶した「無地」タグ３０１
（ｂ）衣類の柄がストライプであるという分類情報を記憶した「ストライプ」タグ３０２
（ｃ）衣類の柄がチェックであるという分類情報を記憶した「チェック」タグ３０３
（ｄ）衣類の柄がプリント柄であるという分類情報を記憶した「プリント」タグ３０４
（ｅ）衣類の柄が織柄であるという分類情報を記憶した「織柄」タグ３０５
等が貼り付けられている。
それぞれのタグには、記憶されている分類情報を文字で記載してもよいし、あるいは各タグを記憶されている柄を視覚的に例示してもよい。また、柄ボード３００には上記した以外の柄（例えば、ボーダー、迷彩、花柄、等）に対応する近距離無線通信タグ３をさらに貼り付けてもよい。
【００３９】
さらに、図６に示すカテゴリボード４００には、例えば、
（ａ）衣類のカテゴリがトップスであるという分類情報を記憶した「トップス」タグ４０１
（ｂ）衣類のカテゴリがジャケット／アウターであるという分類情報を記憶した「ジャケット／アウター」タグ４０２
（ｃ）衣類のカテゴリがパンツであるという分類情報を記憶した「パンツ」タグ４０３
（ｄ）衣類のカテゴリがスカートであるという分類情報を記憶した「スカート」タグ４０４
（ｅ）衣類のカテゴリがワンピースであるという分類情報を記憶した「ワンピース」タグ４０５
（ｆ）衣類のカテゴリがスーツであるという分類情報を記憶した「スーツ」タグ４０６
（ｇ）衣類のカテゴリがバッグであるという分類情報を記憶した「バッグ」タグ４０７
（ｈ）衣類のカテゴリがシューズであるという分類情報を記憶した「シューズ」タグ４０８
等が貼り付けられている。
それぞれのタグには、記憶されている分類情報を文字で記載してもよいし、あるいは各タグを記憶されているカテゴリが一目でわかるようなイラスト等を表示してもよい。
【００４０】
なお、近距離無線通信タグ３はＮＦＣタグ等、書き換え可能な記憶媒体を使用しているので、近距離無線通信タグ３に記憶される内容（分類情報）は、例えば携帯通信端末１の特定のアプリケーションソフトウェア（後述する書込アプリケーションソフトウェア）を使用することで、容易に書き換えが可能である。すなわち、図４から図６に示す各ボードに貼り付けられた近距離無線通信タグ３に記憶される内容は恒常的なものではなく、ユーザが自らの持つ衣類を分類できるような新たな分類情報に書き換えてもよい。すなわち、例えば、色ボードに貼り付けられたタグの１つを「茶色」タグに書き換えたり、あるボードの全てのタグを「コットン」タグ、「ウール」タグ、「ナイロン」タグ等、要素「素材」に対応するようにタグの内容を書き換えたりしてもよい。
【００４１】
ユーザは、携帯通信端末１の衣類管理アプリケーションソフトウェアに新たに衣類画像データを登録する際には、衣類管理アプリケーションソフトウェアを起動した状態の携帯通信端末１を、図４から図６に示す分類のためのボードに貼り付けられた近距離無線通信タグ３のいずれかに近づける（かざす）ことで、その近距離無線通信タグ３に記憶された分類情報が携帯通信端末１に読み取られ、当該衣類画像データと読み取った分類データとが対応付けられる。
具体的には、例えばグレーのストライプのジャケットの衣類画像データを登録する場合は、色ボード２００の「グレー」タグ２０３と、柄ボード３００の「ストライプ」タグ３０２と、カテゴリボード４００の「ジャケット／アウター」タグ４０２と、順番に携帯通信端末１をかざす（かざす順番は前後してもよい）。すると、携帯通信端末１の近距離無線通信部１４が各タグに記憶された分類情報を読み出し、新たな衣類画像データに分類情報「グレー」、「ストライプ」、「ジャケット／アウター」が対応付けられる。携帯通信端末１の衣類管理アプリケーションソフトウェアは、このように衣類画像データに分類情報を対応付けることにより、各衣類画像データの分類を行う。
【００４２】
また、上述した色、柄、カテゴリだけでなく、その衣類を着用するのに相応しい季節、時季、月等を示す情報として、「着用月」を分類情報として登録してもよい。
図７は、衣類がどの月に着用するのが相応しいかを示す分類情報である「着用月」を登録するための着用月ボード５００の一例を示す図である。
図７に示すように、着用月ボード５００には、各月に対応した識別子４として、月名を情報として含むＱＲコード（株式会社デンソーウェーブの登録商標）が例えば紙などに印刷されて貼り付けられている。
【００４３】
上述した図４から図６に示す色ボード２００、柄ボード３００、カテゴリボード４００に貼り付けられた各タグは、その記憶する内容を書き換え可能とするため、ＮＦＣタグ等、近距離通信可能な記憶媒体として近距離無線通信タグ３を使用していた。
一方、着用月ボード５００の場合は、１月から１２月までの各月に対応する分類情報を読み出せるだけでよく、分類情報の内容が固定であって書き換えが必要ないため、近距離無線通信タグ３のような記憶媒体を使用せず、より簡便で安価な媒体である識別子４を使用すればよい。
なお、本実施形態では、着用月ボード５００にＱＲコードを貼り付けるようにしたが、本発明はこれには限定されない。ＱＲコードの代わりに、例えばバーコード等、携帯通信端末１によって読み取り可能な他の種類の識別子を使用してもよい。
【００４４】
図７に示すように、着用月ボード５００では、１月から１２月のそれぞれの月に対応する識別子４を記載した紙等が、板状の物体に貼り付けられている。図７では、具体例として、識別子４が２次元コードである場合を想定している。
なお、上述した実施形態では、分類情報として「着用月」として月を想定していたが、本発明はこれには限定されない。月ではなく、衣類を着用するのに相応しい季節や時季の名称を分類情報として設定してもよい。具体的には、例えば、分類情報「着用季節」として「春」や「夏」等、また分類情報「着用時季」として「梅雨」等を設定してもよい。
【００４５】
ユーザは、携帯通信端末１の衣類管理アプリケーションソフトウェアに、新たに衣類画像データを登録するとき、上記色ボード２００、柄ボード３００、カテゴリボード４００等から読み取った分類情報による衣類画像データの登録に続いて、着用月ボード５００を用いて、登録する衣類を着用するのに相応しい月に対応する識別子４を携帯通信端末１の撮像部１１により読み取り、当該読み取った月を衣類画像データに対応づけて登録する。
【００４６】
上述した色ボード２００、柄ボード３００、カテゴリボード４００、着用月ボード５００等、近距離無線通信タグ３や識別子４を記載した紙を複数貼り付けたボードは、携帯通信端末１の衣類管理アプリケーションソフトウェアにおいて衣類画像データの登録を行う前に、ユーザにより作成されることが望ましい。
あるいは、予めよくある色や柄等の分類情報が記憶された近距離無線通信タグ３がいくつか貼り付けられたボードがユーザ以外の第三者により準備され、所定の場所にて展示されていたり、販売されたりしてもよい。勿論、この場合でも、各ボードに貼り付けられた近距離無線通信タグ３は、第三者等の使用する携帯通信端末１等によって、分類情報の書き換えが可能である。
【００４７】
なお、上記説明した各ボードは、あくまで本発明の一実施形態に過ぎず、本発明では、必ずしも同一の分類要素の各近距離無線通信タグ３や識別子４を記載した紙を板状の物体に貼り付けておく必要はない。本発明では、ユーザが、近距離無線通信タグ３や識別子４を記載した紙を見て、それぞれの近距離無線通信タグ３や識別子４に記憶された分類情報を明確に把握できればそれでよい。なお、以下説明する衣類登録システム１００の動作例では、説明の簡便のために、各ボードを使用して衣類画像データの分類および登録を行うことを想定している。
【００４８】
本発明の実施形態に係る衣類登録システム１００においては、上述したように、衣類画像データを新たに衣類管理アプリケーションソフトウェアに登録する際、登録する衣類画像データに対応する分類情報を、タッチパッドやボタン類等を使用した文字入力を行うことなく、携帯通信端末１を、色ボード２００、柄ボード３００、カテゴリボード４００等に貼り付けられた近距離無線通信タグ３にかざしたり、着用月ボード５００の識別子４を読み取ったりするだけで容易に行うことができるので、登録の際のユーザの手間を大幅に省略することができる。
【００４９】
次に、衣類登録システム１００において、携帯通信端末１上で動作する衣類管理アプリケーションソフトウェアに新たに衣類の画像データを登録する際の動作例について説明する。
図８は、衣類登録システム１００において、新たに衣類の画像データを登録する際の動作例を示すフローチャートである。
図８において、ステップＳＴ１〜ＳＴ１９（図の左半分）の動作は携帯通信端末１の動作を、ステップＳＴ２１〜２３（図の右半分）の動作は近距離無線通信タグ３の動作を、それぞれ示している。
【００５０】
＜携帯通信端末１側の動作＞
ステップＳＴ１：
携帯通信端末１のＣＰＵ２０は、操作部１３を介したユーザの操作等に応じて、衣類管理アプリケーションソフトウェアを起動する。
【００５１】
ステップＳＴ２：
携帯通信端末１のＣＰＵ２０は、ステップＳＴ１における衣類管理アプリケーションソフトウェアの起動に伴い、撮像部１１を自動的に起動する。
ステップＳＴ３：
携帯通信端末１のＣＰＵ２０は、ステップＳＴ２において起動した撮像部１１により衣類を撮影し、衣類画像データを生成する。
【００５２】
ステップＳＴ４：
携帯通信端末１のＣＰＵ２０は、近距離無線通信部１４を起動し、近距離無線通信タグ３とから分類情報を読み取り可能なタグ読取モードに自動的に移行する。
ステップＳＴ５：
携帯通信端末１のＣＰＵ２０は、近距離無線通信部１４を介して、色ボード２００の近距離無線通信タグ３の何れかから、分類情報の１つである、衣類の色に関する色情報を受信する。
【００５３】
ステップＳＴ６：
携帯通信端末１のＣＰＵ２０は、衣類管理アプリケーションソフトウェアに既に複数の色情報が登録されているか否かを判定する。
既に複数の色情報が登録されている場合は、ステップＳＴ８に進み、そうでない場合は、ステップＳＴ７に進む。
【００５４】
ステップＳＴ７：
携帯通信端末１のＣＰＵ２０は、ステップＳＴ５において受信した色情報を、ステップＳＴ３において生成した衣類画像データに対応付けて新規登録する。
ステップＳＴ８：
携帯通信端末１のＣＰＵ２０は、ステップＳＴ５において受信した色情報を、ステップＳＴ３において生成した衣類画像データに対応付けて追加登録する。
【００５５】
ステップＳＴ９：
携帯通信端末１のＣＰＵ２０は、近距離無線通信部１４を介して、柄ボード３００の近距離無線通信タグ３の何れかから、衣類の柄に関する柄情報を受信する。
ステップＳＴ１０：
携帯通信端末１のＣＰＵ２０は、衣類管理アプリケーションソフトウェアに既に複数の柄情報が登録されているか否かを判定する。
既に複数の柄情報が登録されている場合は、ステップＳＴ１２に進み、そうでない場合は、ステップＳＴ１１に進む。
【００５６】
ステップＳＴ１１：
携帯通信端末１のＣＰＵ２０は、ステップＳＴ９において受信した柄情報を、ステップＳＴ３において生成した衣類画像データに対応付けて新規登録する。
ステップＳＴ１２：
携帯通信端末１のＣＰＵ２０は、ステップＳＴ９において受信した柄情報を、ステップＳＴ３において生成した衣類画像データに対応付けて追加登録する。
【００５７】
ステップＳＴ１３：
携帯通信端末１のＣＰＵ２０は、近距離無線通信部１４を介して、カテゴリボード４００の近距離無線通信タグ３の何れかから、衣類のカテゴリに関するカテゴリ情報を受信する。
ステップＳＴ１４：
携帯通信端末１のＣＰＵ２０は、衣類管理アプリケーションソフトウェアに既に複数のカテゴリ情報が登録されているか否かを判定する。
既に複数のカテゴリ情報が登録されている場合は、ステップＳＴ１６に進み、そうでない場合は、ステップＳＴ１５に進む。
【００５８】
ステップＳＴ１５：
携帯通信端末１のＣＰＵ２０は、ステップＳＴ１３において受信したカテゴリ情報を、ステップＳＴ３において生成した衣類画像データに対応付けて新規登録する。
ステップＳＴ１６：
携帯通信端末１のＣＰＵ２０は、ステップＳＴ１３において受信したカテゴリ情報を、ステップＳＴ３において生成した衣類画像データに対応付けて追加登録する。
【００５９】
ステップＳＴ１７：
携帯通信端末１のＣＰＵ２０は、上述したステップＳＴ５からＳＴ１６の色、柄、カテゴリに関する分類情報の読み取りが終了したことを条件に、識別子４を読み取るための識別子読取モードへ自動的に移行する。
ステップＳＴ１８：
携帯通信端末１のＣＰＵ２０は、撮像部１１を介して、着用月ボード５００に貼り付けられた１２枚の識別子４のうち１枚をユーザの選択に基づいて読み取る。
【００６０】
ステップＳＴ１９：
携帯通信端末１のＣＰＵ２０は、ステップＳＴ３にて生成した衣類画像データに、ステップＳＴ１８において読み取った識別子４に対応する月を対応付けて、衣類管理アプリケーションソフトウェアに登録する。
【００６１】
＜近距離無線通信タグ３側の動作＞
ステップＳＴ２１：
近距離無線通信タグ３は、ステップＳＴ５における携帯通信端末１側の操作（色情報を記憶した近距離無線通信タグ３に携帯通信端末１をかざす、等）に応じて、分類情報の１つである、衣類の色に関する色情報を送信する。
ステップＳＴ２２：
近距離無線通信タグ３は、ステップＳＴ９における携帯通信端末１側の操作（柄情報を記憶した近距離無線通信タグ３に携帯通信端末１をかざす、等）に応じて、分類情報の１つである、衣類の柄に関する柄情報を送信する。
ステップＳＴ２３：
近距離無線通信タグ３は、ステップＳＴ１３における携帯通信端末１側の操作（カテゴリ情報を記憶した近距離無線通信タグ３に携帯通信端末１をかざす、等）に応じて、分類情報の１つである、衣類のカテゴリに関するカテゴリ情報を送信する。
【００６２】
本発明の実施形態に係る衣類登録システム１００においては、衣類管理アプリケーションソフトウェアに新たに衣類画像データを登録する際には、上述したような流れで登録を行う。
なお、図８に例示した衣類登録システム１００の動作例では、色、柄、カテゴリの順に分類情報の読み取りを行なっているが、本発明はこれには限定されない。分類情報を読み取る順番や、ある分類要素の分類情報を読み取るか否かについては、ユーザの自由である。すなわち、例えば、カテゴリ情報を一番初めに読み取ってもよいし、あるいは、色情報については読み取るが、柄情報については読み取らない、等としてもよい。
【００６３】
また、図８に例示した衣類登録システム１００の動作例では、衣類画像データを生成するために、撮像部１１を起動し、衣類を撮影していたが、本発明はこれには限定されない。例えば、ネットワーク通信部１５により、インターネット等を介して衣類のオンラインショップのサイト等、衣類画像データを提供するサイトから衣類画像データを受信および取得できるように構成してもよい。この場合、図８に示すステップＳＴ２およびＳＴ３を省略し、衣類管理アプリケーションソフトウェアの起動後、自動的にステップＳＴ４のタグ読取モードへ移行すればよい。
【００６４】
さらに、図８に例示した衣類登録システム１００の動作例では、色、柄、カテゴリの分類情報の読み取りが終わってから着用月の分類情報の読み取りを行なっているが、本発明はこれには限定されない。分類情報「着用月」を読み取るタイミングは、色、柄、カテゴリの分類情報の読み取りを行う前でもよい。
【００６５】
次に、本発明の実施形態に係る衣類登録システム１００において、携帯通信端末１において動作する衣類管理アプリケーションソフトウェアを利用して、登録した衣類画像データのいずれかを検索し閲覧する際の動作例について説明する。
図９は、衣類登録システム１００において、登録した衣類画像データのいずれかを検索し閲覧する際の動作例を示すフローチャートである。
【００６６】
ステップＳＴ３１：
携帯通信端末１のＣＰＵ２０は、操作部１３を介した、衣類管理アプリケーションソフトウェアにおいて衣類画像データの閲覧を行うというユーザの操作に応じて、表示部１２に分類要素の選択画面６００を表示する。
図１０に分類要素の選択画面６００の一例を示す。
図１０に示すように、分類要素の選択画面６００は、アプリケーションソフトウェア名表示欄６０１、色選択ボタン６０２、柄選択ボタン６０３、カテゴリ選択ボタン６０４、着用月選択ボタン６０５を有する。
【００６７】
アプリケーションソフトウェア名表示欄６０１は、衣類管理アプリケーションソフトウェアの名称を表示する欄であり、ユーザに対して衣類管理アプリケーションソフトウェアが起動していることを明示するための欄である。
色選択ボタン６０２は、色に基づいて所望の衣類画像データを検索する場合にユーザが操作部１３を介して選択するボタンである。
柄選択ボタン６０３は、柄に基づいて所望の衣類画像データを検索する場合にユーザが操作部１３を介して選択するボタンである。
カテゴリ選択ボタン６０４は、カテゴリに基づいて所望の衣類画像データを検索する場合にユーザが操作部１３を介して選択するボタンである。
着用月選択ボタン６０５は、衣類を着用するのに相応しい月に基づいて所望の衣類画像データを検索する場合にユーザが操作部１３を介して選択するボタンである。
【００６８】
ステップＳＴ３２：
携帯通信端末１のＣＰＵ２０は、操作部１３を介した、ユーザによる分類要素の選択画面６００の４つのボタンのうちいずれかの選択を受け付ける。
ステップＳＴ３３：
携帯通信端末１のＣＰＵ２０は、ステップＳＴ３２においてユーザにより選択されたボタンに応じて、分類情報の選択画面７００を表示部１２に表示する。
分類情報の選択画面７００の一例を図１１から図１４に例示する。
【００６９】
図１１は、色の分類情報の選択画面７１０の一例を示す図である。
図１２は、柄の分類情報の選択画面７２０の一例を示す図である。
図１３は、カテゴリの分類情報の選択画面７３０の一例を示す図である。
図１４は、着用月の分類情報の選択画面７４０の一例を示す図である。
【００７０】
携帯通信端末１のＣＰＵ２０は、登録されている衣類画像データに対応付けられた分類情報の中から、それぞれの分類要素に対応するものを一覧表示する。
例えば、図１１に示す色の分類情報の選択画面７１０は、「白」、「黒」、「グレー」、「赤」、「青」、「黄」、「緑」、「紫」の各色の色情報に対応付けられた衣類画像データが登録されている場合に表示される。
また、図１２に示す柄の分類情報の選択画面７２０は、「無地」、「ストライプ」、「チェック」、「プリント」、「織柄」の各柄の柄情報に対応付けられた衣類画像データが登録されている場合に表示される。
また、図１３に示すカテゴリの分類情報の選択画面７３０は、「トップス」、「ジャケット／アウター」、「パンツ」、「スカート」、「ワンピース」、「スーツ」、「バッグ」、「シューズ」の各カテゴリのカテゴリ情報に対応付けられた衣類画像データが登録されている場合に表示される。
また、図１４に示す着用月の分類情報の選択画面７４０は、衣類を着用するのに相応しい月を示す情報に対応付けられた衣類画像データが登録されている場合に表示される。
なお、図１１から図１４に例示した分類情報の選択画面７００は一例であり、登録されている衣類画像データに対応する分類情報に応じて、表示される項目は自由に変更が可能である。
【００７１】
ステップＳＴ３４：
携帯通信端末１のＣＰＵ２０は、ステップＳＴ３３において表示した、分類情報の選択画面７００におけるユーザの選択操作を操作部１３を介して受け付ける。
ステップＳＴ３５：
携帯通信端末１のＣＰＵ２０は、ステップＳＴ３４において受け付けた、ユーザが選択した分類情報に該当する衣類画像データを一覧表示する。
すなわち、例えばステップＳＴ３４において、図１１に示す画面にて「赤」が選択された場合には、登録されている衣類画像データの中から、色情報「赤」に対応付けられた全ての衣類画像データを抽出し、並べて表示する。また、さらに図１２に示す画面にて「チェック」が選択された場合には、色情報「赤」に対応する衣類画像データの中から、柄情報「チェック」に対応付けられた衣類画像データを抽出し、並べて表示する。
【００７２】
このようにして、ユーザは所望の衣類画像データを表示部１２に表示させることができる。
なお、ステップＳＴ３２からＳＴ３５は、色、柄、カテゴリ、着用月、のそれぞれ１回ずつ、計４回繰り返すことが望ましい。ただし、ユーザが選択しない分類要素がある場合には、操作部１３を介した操作等に応じて、特定の分類要素の分類情報を選択しないようにしてもよい。すなわち、色、カテゴリ、着用月、のそれぞれの分類情報についての選択は行うが、柄情報についての選択は行わない、等としてもよい。また、上述した動作例では、分類要素における分類情報の選択は、色、柄、カテゴリ、着用月、の順序で行ったが、本発明はこれには限定されない。分類情報選択の順序は、自由に変更が可能である。
【００７３】
なお、上述した動作例では、分類情報「着用月」として、その衣類を着用するのに最も相応しい月をひと月だけ想定していた。しかし、衣類は概ね季節毎に変わるものであるため、分類情報「着用月」としてある月が選択された場合に、選択された月の前後１ヶ月が分類情報「着用月」として登録されている画像データを全て抽出してステップＳＴ３５において表示するようにしてもよい。すなわち、例えば着用月として３月が選択された場合には、着用月の分類情報が２月の衣類画像データと、４月の衣類画像データとを、３月の衣類画像データに加えて一覧表示するようにしてもよい。このようにすることで、より時期に相応しい衣類画像データを表示することができるようになる。
【００７４】
次に、本発明の実施形態に係る衣類登録システム１００において、携帯通信端末１上で動作する書込アプリケーションソフトウェアにより近距離無線通信タグ３に分類情報を書き込む場合の動作例について説明する。
図１５は、衣類登録システム１００において、書込アプリケーションソフトウェアにより近距離無線通信タグ３に分類情報を書き込む場合の動作例を示すフローチャートである。
【００７５】
図１５に示すように、ステップＳＴ４１からＳＴ４３までの動作は携帯通信端末１側の動作であり、ステップＳＴ５１の動作は近距離無線通信タグ３側の動作である。
＜携帯通信端末１側の動作＞
ステップＳＴ４１：
携帯通信端末１のＣＰＵ２０は、操作部１３を介したユーザの操作等に応じて、書込アプリケーションソフトウェアを起動する。
書込アプリケーションソフトウェアは、ＮＦＣ等の近距離無線通信方式により、近距離無線通信可能な記憶媒体である近距離無線通信タグ３に対して、所望の情報を書き込むためのアプリケーションソフトウェアである。
【００７６】
ステップＳＴ４２：
携帯通信端末１のＣＰＵ２０は、操作部１３を介して、近距離無線通信タグ３に対する書込内容の入力を受け付ける。
近距離無線通信タグ３に対する書込内容は、ユーザがこれから画像データを登録したいと思う衣類に対応する１つの分類情報である。
ステップＳＴ４３：
携帯通信端末１のＣＰＵ２０は、ステップＳＴ４２において入力された書込内容を、近距離無線通信部１４を介して近距離無線通信タグ３に書き込む。
【００７７】
＜近距離無線通信タグ３側の動作＞
ステップＳＴ５１：
近距離無線通信タグ３は、ステップＳＴ４３における携帯通信端末１による書込内容を受信して記憶する。
なお、図１５に示す近距離無線通信タグ３への分類情報の書込処理では、１度に１つの分類情報を１つの近距離無線通信タグ３に書き込むことになる。したがって、図４から図６に示すようなボードを作成するためには、使用される近距離無線通信タグ３の数だけ図１５に示す書込処理を繰り返す必要がある。
【００７８】
以上説明したように、本発明の実施形態に係る衣類登録システム１００では、近距離無線通信タグ３に事前に登録したい衣類に対応する分類情報を書き込んでおくことによって、携帯通信端末１上で動作する衣類管理アプリケーションソフトウェアに新たに衣類画像データを登録する際に、携帯通信端末１を近距離無線通信タグ３にかざすという簡単な動作のみで新たな衣類画像データに対応する分類情報を登録することができる。
【００７９】
また、本発明の実施形態に係る衣類登録システム１００では、携帯通信端末１上で動作する衣類管理アプリケーションソフトウェアにおいて、新たに衣類画像データを登録する場合には、まず自動的に撮像部１１が起動し、新たな衣類画像データを生成すると、自動的に近距離無線通信タグ３から分類情報を読み取るタグ読取モードに移行する。そして近距離無線通信タグ３から分類情報を読み取り終わると、登録する衣類を着用するのに相応しい月を登録するための識別子読取モードに移行する。
【００８０】
このため、衣類管理アプリケーションソフトウェアに新たな衣類画像データを登録する際に、ユーザが行うべき操作は、携帯通信端末１の撮像部１１により衣類を撮影すること、携帯通信端末１を近距離無線通信タグ３にかざすこと、撮像部１１により識別子４を読み取ること、の３種類のみであり、例えば操作部１３を使用した文字による分類情報の入力等を行わなくて済むため、衣類画像データの登録に必要なユーザの手間を大幅に軽減することができる。
【００８１】
特に、本実施形態において、携帯通信端末１として想定するスマートフォンやタブレット端末等の多機能携帯通信端末では、文字を入力するためのキーボードが付属していない場合が多く、タッチパネル等による文字入力が慣れないユーザにとって大きなストレスとなる場合がある。本発明の実施形態に係る衣類登録システム１００では、衣類画像データの登録時に文字入力を行わないでよいため、ユーザにとって最も面倒なタッチパネル等による文字入力を回避できるという点で大きな効果が得られると言える。
【００８２】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００８３】
上述した本発明の実施形態に係る衣類登録システム１００は、例として、スマートフォンやタブレット端末等を有する個人のユーザが使用することを想定していたが、本発明はこれには限定されない。例えば、衣類販売店等において購買者が衣類を購入する参考にするために、購買者が自由に各衣類画像データを閲覧できるように衣類登録システムを導入してもよい。具体的には、百貨店の衣類売り場や衣類ショップ等にて、店内で販売する衣類の衣類画像データをショップ関係者が衣類管理アプリケーションソフトウェアに登録するために、衣類登録システム１００を使用してもよい。
【００８４】
また、上述した本発明の実施形態に係る衣類登録システム１００では、衣類に関する衣類データの具体例として、衣類画像データを用いる場合について説明したが、本発明はこれには限定されない。衣類データとしては、衣類を一意に特定できる情報であれば何でもよく、例えば、衣類に予め名称を付与し、その名称を衣類データとして扱うようにしてもよい。
【符号の説明】
【００８５】
１００・・・衣類登録システム、１・・・携帯通信端末、１１・・・撮像部、１２・・・表示部、１３・・・操作部、１４・・・近距離無線通信部、１５・・・ネットワーク通信部、１６・・・近距離無線通信アンテナ、１７・・・ネットワークアンテナ、１８・・・ＲＯＭ、１９・・・メモリ、２０・・・ＣＰＵ、２１・・・バッテリ、３・・・近距離無線通信タグ、３１・・・ＩＣチップ、３２・・・アンテナ、４・・・識別子、５・・・ネットワーク、２００・・・色ボード、３００・・・柄ボード、４００・・・カテゴリボード、５００・・・月ボード、６００・・・分類要素の選択画面、７００・・・分類情報の選択画面
【図１】
2014185411.tif 000003
【図２】
2014185411.tif 000004
【図３】
2014185411.tif 000005
【図４】
2014185411.tif 000006
【図５】
2014185411.tif 000007
【図６】
2014185411.tif 000008
【図７】
2014185411.tif 000009
【図８】
2014185411.tif 000010
【図９】
2014185411.tif 000011
【図１０】
2014185411.tif 000012
【図１１】
2014185411.tif 000013
【図１２】
2014185411.tif 000014
【図１３】
2014185411.tif 000015
【図１４】
2014185411.tif 000016
【図１５】
2014185411.tif 000017